(57)【要約】【課題】反射機構を利用して、投射機構が画像を必要とする位置に投写できる画像投写装置を提供する。【解決手段】投射機構と、投射機構に対応する反射機構が含有され、反射機構は、少なくとも、調整ユニットと、調整ユニットの一端に可動的に連接される反射ユニットと、調整ユニットに連接される制御ユニットが含有される。【選択図】図１
0003140824.tif 000002
【実用新案登録請求の範囲】
【請求項１】
投射機構と、上記の投射機構に対応し、少なくとも、調整ユニットと、可動的に該調整ユニットの一端に連接される反射ユニットと、該調整ユニットに連接される制御ユニットを有する反射機構が含有されることを特徴とする、画像投写装置。
【請求項２】
該反射機構に、該調整ユニットと該反射ユニット及び該制御ユニットを収納するためのケーシングがあり、該ケーシングに入力孔と出力孔があり、該入力孔が該投射機構に対応し、該投射機構から出力された画像が該入力孔を介して該反射機構の反射ユニットに伝送されることを特徴とする、請求項１に記載の画像投写装置。
【請求項３】
該調整ユニットに、少なくとも、反射ユニットに連接される第１の可動アームと、第１の可動アームに連接される第２の可動アームとが含有され、該第１の可動アームの垂直角度及び、或いは該第２の可動アームの回転角度を調整することにより、該反射ユニットが、画像を必要とする位置に反射することを特徴とする、請求項１に記載の画像投写装置。
【請求項４】
該反射ユニットの一面が、凸面であり、もう一面が平面であることを特徴とする、請求項１に記載の画像投写装置。
【考案の詳細な説明】
【技術分野】
【０００１】
本考案は、画像投写装置に関し、特に、画像を必要とする位置に投写できるものに関する。
【背景技術】
【０００２】
一般の従来のプロジェクタは、オーディオビデオ伝送導線が連接されるか、直接に、オーディオビデオ再生設備が電気接続され、それにより画像がプロジェクタから投射されて表示される。
【０００３】
上記の従来のプロジェクタは、画像が投射されて表示されるが、該プロジェクタを設置する時、一般として、投写する位置を選別して、該プロジェクタを適当な位置に固定し、これにより、該プロジェクタは固定された該位置に投写できるが、任意に投写する位置を調整できず、また、ユーザーが該プロジェクタの画像を他の位置に投射する時、該プロジェクタを外して方向変更を行い、また、方向を確定した位置に該プロジェクタを固定することが必要であるため、該プロジェクタの方向変更が、工程が複雑であり難しくなる。そのため、一般の従来のものは実用的とは言えない。
【考案の開示】
【考案が解決しようとする課題】
【０００４】
本考案の主な目的は、任意に投写する位置を調整できない課題を解消でき、主として、反射機構により、プロジェクタ機構が画像を必要とする位置に投写できる画像投写装置を提供する。
【課題を解決するための手段】
【０００５】
請求項１の考案は、投射機構と、上記の投射機構に対応し、少なくとも、調整ユニットと、可動的に該調整ユニットの一端に連接される反射ユニットと、該調整ユニットに連接される制御ユニットを有する反射機構が含有されることを特徴とする、画像投写装置である。
【０００６】
請求項２の考案は、該反射機構に、該調整ユニットと該反射ユニット及び該制御ユニットを収納するためのケーシングがあり、該ケーシングに入力孔と出力孔があり、該入力孔が該投射機構に対応し、該投射機構から出力された画像が、該入力孔を介して該反射機構の反射ユニットに伝送されることを特徴とする、請求項１に記載の画像投写装置である。
【０００７】
請求項３の考案は、該調整ユニットに、少なくとも、反射ユニットに連接される第１の可動アームと、第１の可動アームに連接される第２の可動アームとが含有され、該第１の可動アームの垂直角度及び／或いは該第２の可動アームの回転角度を調整することにより、該反射ユニットが、画像を必要とする位置に反射することを特徴とする、請求項１に記載の画像投写装置である。
【０００８】
請求項４の考案は、該反射ユニットの一面が凸面であり、もう一面が平面であることを特徴とする、請求項１に記載の画像投写装置である。
【考案を実施するための最良の形態】
【０００９】
図１は、本考案の第１の実施例の立体外観概念図である。本考案は、図のように画像投写装置であり、投射機構１と反射機構２とから構成され、該反射機構２により、該投射機構１が投射した画像を必要とする位置に反射する。
【００１０】
該投射機構１の一端は、該反射機構２に対応する画像出力ユニット１１が含有される。
【００１１】
該反射機構２は、上記の投射機構１に対応し、該反射機構２は、少なくとも、調整ユニット２１と、可動的に該調整ユニット２１の一端に連接される反射ユニット２２と、該調整ユニット２１に連接される制御ユニット２３とが含有され、該調整ユニット２１は、少なくとも該反射ユニット２２に連接される第１の可動アーム２１１と、該第１の可動アーム２１１に連接される第２の可動アーム２１２とが含有され、該反射ユニット２２の一面は、凸面２２１で、もう一面は平面２２２である。上記の構造により、新規の画像投写装置が構成される。
【００１２】
図２と３及び４は、それぞれ本考案の第１の実施例の第１の使用状態概念図と、本考案の第１の実施例の第２の使用状態概念図、及び本考案の第１の実施例の第３の使用状態概念図である。本考案は、図のように使用する時、投射機構１の画像出力ユニット１１により画像を反射機構２の反射ユニット２２に伝送し、また、該反射ユニット２２により該画像を反射し、ユーザーが使用する時の実際状況に応じて、該反射ユニット２２の凸面２２１や平面２２２を該投射機構１の画像出力ユニット１１に対応するように該画像を反射し、また、ユーザーが画像の反射角度を調整する時、制御ユニット２３で第１の可動アーム２１１の垂直角度及び（或いは）第２の可動アーム２１２の回転角度を調整し、或いは、直接に該反射ユニット２２を調整しても良く、これにより、該反射ユニット２２により、画像を必要とする位置に反射できる。
【００１３】
図５は、本考案の第２の実施例の立体外観概念図である。本考案に係わる反射機構２は、図のように、更に調整ユニット２１と反射ユニット２２及び制御ユニット２３を収納するケーシング２４が含有されても良く、該ケーシング２４は入力孔２４１と出力孔２４２が含有され、投射機構１の画像出力ユニット１１が該入力孔２４１に対応し、該投射機構１が出力した画像が該入力孔２４１により該反射機構２の反射ユニット２２に伝送され、また、該反射ユニット２２により該画像が反射されて該出力孔２４２から出力される。
【００１４】
以上の説明から分かるように、本考案に係わる画像投写装置は、有効に従来の諸欠点を改善でき、反射機構を利用して、投射機構が画像を必要とする位置に投写でき、そのため、本考案はより進歩的かつより実用的で、法に従って実用新案登録請求を出願する。
【００１５】
以上は、ただ本考案のより良い実施例であり、本考案はそれによって制限されることが無く、本考案に係わる実用新案登録請求の範囲や明細書の内容に基づいて行った等価の変更や修正は、全てが本考案の実用新案登録請求の範囲内に含まれる。
【図面の簡単な説明】
【００１６】
【図１】本考案の第１の実施例の立体外観概念図
【図２】本考案の第１の実施例の第１の使用状態概念図
【図３】本考案の第１の実施例の第２の使用状態概念図
【図４】本考案の第１の実施例の第３の使用状態概念図
【図５】本考案の第２の実施例の立体外観概念図
【符号の説明】
【００１７】
１        投射機構
１１      画像出力ユニット
２        反射機構
２１      調整ユニット
２１１    第１の可動アーム
２１２    第２の可動アーム
２２      反射ユニット
２２１    凸面
２２２    平面
２３      制御ユニット
２４      ケーシング
２４１    入力孔
２４２    出力孔
【図１】
0003140824.tif 000003
【図２】
0003140824.tif 000004
【図３】
0003140824.tif 000005
【図４】
0003140824.tif 000006
【図５】
0003140824.tif 000007